(57)【要約】【課題】  現実世界の競走馬を証券化した仮想株取引ゲームを提供し、売買不成立や株価操作を防止する。【解決手段】  現実世界の競走馬を証券化し、架空世界で取引される株式を発行する株式発行処理部１０５と、株式の所有者、売買注文の内容、株価、売買履歴、配当額と受取人の情報を格納する株式情報記憶部１１５と、競走馬株式への売買注文を受信する注文受付処理部１１１と、株価を安定させるため、各々の競走馬株式への売買注文を出す株価安定化処理部１０３と、１日の注文受付期間中に出された全ての売買注文に基づいて各々の競走馬株式の株価を決定し、その株価に基づいて約定させる売買注文を決定する売買処理部１０２と、競走馬が出走した現実世界のレースの成績に基づいてその競走馬株式に対する配当を決定し、利用者に配当を支給する配当処理部１０９を備える。【選択図】        図３
2005301588.tif 000002
【特許請求の範囲】
【請求項１】
現実世界の競走馬の情報と、現実世界のレースにおけるその競走馬の成績情報を格納する競走馬情報記憶部と、
上記競走馬を証券化し、架空世界で取引される競走馬株式を発行する株式発行処理部と、
上記競走馬株式についての所有者情報、売買注文の内容、株価、売買履歴、発生した配当額と受け取った利用者の情報を格納する株式情報記憶部と、
上記競走馬株式の売買と配当の支給に用いられる架空通貨を発行する通貨発行処理部と、
利用者の端末から、各々の競走馬株式への売買注文を受信し、受信した売買注文の情報を上記株式情報記憶部へ格納する注文受付処理部と、
利用者が所持する架空通貨の額と、取引成績情報を格納するユーザ情報記憶部と、
株価を安定させるため、各々の競走馬株式への売買注文を出す株価安定化処理部と、
一区切りの注文受付期間に出された全ての売買注文に基づいて各々の競走馬株式の株価を決定し、その株価に基づいて約定させる売買注文を決定し、上記株式情報記憶部に格納された当該競走馬株式の所有者情報、株価、売買履歴と、上記ユーザ情報記憶部に格納された、利用者が所持する架空通貨の額を更新する売買処理部と、
競走馬が出走した現実世界のレースの成績に基づいてその競走馬株式に対する配当を決定し、上記ユーザ情報記憶部に格納された配当を受ける利用者が所持する架空通貨の額を更新する配当処理部と、
利用者の端末に、当該利用者が出した売買注文が約定したかどうかの情報および当該利用者が受けた配当の情報を通知するサービス提供部を備えた競走馬証券化サーバ。
【請求項２】
注文受付処理部は、価格範囲の指定によって、売買注文価格を受け付けることを特徴とする請求項１記載の競走馬証券化サーバ。
【請求項３】
注文受付処理部は、利用者の端末から買い注文を受け付けた場合、その利用者の当該競走馬株式の保有数が、１人の利用者が保有することのできる最大数を超えていない場合にのみ上記買い注文を受け付けることを特徴とする請求項１または請求項２記載の競走馬証券化サーバ。
【請求項４】
売買処理部は、一区切りの注文受付期間に出された各々の競走馬株式への売買注文をそれらの注文価格に従って点数化し、売り注文と買い注文の点数が等しければ、今日の株価を昨日の株価と同じ値に決定し、売り注文の点数の方が大きい場合には、今日の株価をその点数差に従って下げ、買い注文の方が大きい場合には、今日の株価をその点数差に従って上げることを特徴とする請求項１から請求項３のうちのいずれか１項記載の競走馬証券化サーバ。
【請求項５】
売買処理部は、各々の競走馬株式への売買注文のうち、注文価格が今日の株価以上の買い注文と注文価格が上記今日の株価以下の売り注文を、買い注文については注文価格が高くて注文受付時間が早いものほど優先的に、売り注文については注文価格が安くて注文受付時間が早いものほど優先的に約定させることを特徴とする請求項４記載の競走馬証券化サーバ。
【請求項６】
株価安定化処理部は、売買処理によって決定された今日の株価に基づいて、各々の競走馬株式に対して出す売買注文の数と注文価格を決定し、次回の注文受付期間中にそれらの注文を出すことを特徴とする請求項１から請求項５のうちのいずれか１項記載の競走馬証券化サーバ。
【請求項７】
株価安定化処理部は、全ての競走馬株式に対して、売買処理によって決定された今日の株価と同じ価格で売買それぞれ同数の注文を出すことを特徴とする請求項６記載の競走馬証券化サーバ。
【請求項８】
株価安定化処理部は、現実世界のレースの成績に基づいて現在の価格が割安と判定した競走馬株式に対して、買い注文を出すことを特徴とする請求項６記載の競走馬証券化サーバ。
【請求項９】
株価安定化処理部は、現実世界のレースの成績に基づいて成績不調と判断した競走馬の競走馬株式に対して、売り注文と買い注文を出すことを特徴とする請求項６記載の競走馬証券化サーバ。
【請求項１０】
株価安定化処理部は、現実世界において放牧に出された競走馬の競走馬株式に対して、売り注文と買い注文を出すことを特徴とする請求項６記載の競走馬証券化サーバ。
【請求項１１】
株価安定化処理部は、競走馬証券化サーバで保有する株数が閾値以下となった競走馬株式に対して、上記閾値を超えるように買い注文を出すことを特徴とする請求項６記載の競走馬証券化サーバ。
【請求項１２】
株式発行処理部によって新規に発行された新規上場株に対する利用者からの購入申込みを受付け、申込みが発行数を超えた場合には、抽選により購入者を決定し、上記新規上場株の割り当てを行う新規株割当処理部を備えたことを特徴とする請求項１から請求項１１のうちのいずれか１項記載の競走馬証券化サーバ。
【請求項１３】
注文受付期間中の一定時間内に出された各々の競走馬株式への売買注文をそれらの価格に従って点数化し、売り注文と買い注文の点数が等しければ、現在の株価を昨日の株価と同じ値に決定し、売り注文の点数の方が大きい場合には、現在の株価をその点数差に従って下げ、買い注文の点数の方が大きい場合には、現在の株価をその点数差に従って上げ、決定した現在の株価を当該競走馬株式の株価の気配値として利用者に提供する気配値表示処理部を備えたことを特徴とする請求項１から請求項１２のうちのいずれか１項記載の競走馬証券化サーバ。
【請求項１４】
１取引シーズンの間に各利用者が取得した架空通貨の額に基づいて納税額を決定し、シーズン毎にユーザ情報記憶部に格納された架空通貨の額から上記納税額を差し引く税金徴収処理部を備えたことを特徴とする請求項１から請求項１３のうちのいずれか１項記載の競走馬証券化サーバ。
【発明の詳細な説明】
【技術分野】
【０００１】
この発明は、現実世界の競走馬を証券化し、架空世界での株取引ゲームを提供する競走馬証券化サーバに関するものである。
【背景技術】
【０００２】
現実世界の物や出来事を株式に見立てて架空世界での株取引を行う方法は、従来にも、例えば特許文献１に開示された有価証券取引方法で提案されている。
この特許文献１に開示された例では、芸能人やスポーツ選手またはその個人が所属する団体を架空の出資対象として証券化し、架空株式の売買をサーバによりコンピュータネットワークを介して複数のクライアントの顧客間で遂行させる。サーバは、会員として登録された顧客に対し、所定額の架空通貨を無償贈与し、買い注文の成立の都度当該株価を所定率上昇させ、売り注文の成立の都度株価を所定率下落させる。
【０００３】
【特許文献１】特開２００２−０７３９８４号公報
【発明の開示】
【発明が解決しようとする課題】
【０００４】
しかし、特許文献１に記載されたような従来の架空世界における株取引方法では、取引数が少ないうちは、参加者がせっかく売買の注文を出しても取引が成立しないということが多々起こりうるという問題があった。また、現実の通貨を使用しない架空取引であるため、株価操作が行われやすいという問題もあった。
【０００５】
また、競走馬を投資の対象としたゲームも従来から知られているが、１つのレースの結果を対象としたものであり、競走馬自体を証券化して、ある競走馬についての今後の活躍を予測することを楽しむようなものはなかった。
【０００６】
この発明は上記のような課題を解決するためになされたもので、現実世界の競走馬を証券化し、利用者に競馬への継続的な関心を持たせることが可能な株取引ゲームを実現する競走馬証券化サーバを得ることを目的とする。
また、取引数が少ないことによる売買不成立や株価操作を防止することができる競走馬証券化サーバを得ることを目的とする。
【課題を解決するための手段】
【０００７】
この発明に係る競走馬証券化サーバは、現実世界の競走馬の情報と、現実世界のレースにおけるその競走馬の成績情報を格納する競走馬情報記憶部と、競走馬を証券化し、架空世界で取引される競走馬株式を発行する株式発行処理部と、競走馬株式についての所有者情報、売買注文の内容、株価、売買履歴、発生した配当額と受け取った利用者の情報を格納する株式情報記憶部と、競走馬株式の売買と配当の支給に用いられる架空通貨を発行する通貨発行処理部と、利用者の端末から、各々の競走馬株式への売買注文を受信し、受信した売買注文の情報を株式情報記憶部へ格納する注文受付処理部と、利用者が所持する架空通貨の額と、取引成績情報を格納するユーザ情報記憶部と、株価を安定させるため、各々の競走馬株式への売買注文を出す株価安定化処理部と、一区切りの注文受付期間に出された全ての売買注文に基づいて各々の競走馬株式の株価を決定し、その株価に基づいて約定させる売買注文を決定し、株式情報記憶部に格納された当該競走馬株式の所有者情報、株価、売買履歴と、ユーザ情報記憶部に格納された、利用者が所持する架空通貨の額を更新する売買処理部と、競走馬が出走した現実世界のレースの成績に基づいてその競走馬株式に対する配当を決定し、ユーザ情報記憶部に格納された配当を受ける利用者が所持する架空通貨の額を更新する配当処理部と、利用者の端末に、当該利用者が出した売買注文が約定したかどうかの情報および当該利用者が受けた配当の情報を通知するサービス提供部を備え、利用者に、現実世界の競走馬を証券化した株の売買を行うゲームを提供し、さらに、現実世界のレースの結果を反映した配当を支給する。また、システムの介入売買により株価を安定させる。
【０００８】
また、注文受付処理部は、価格範囲の指定によって売買注文価格を受け付け、注文価格に幅を持たせる。
また、注文受付処理部は、利用者端末から買い注文を受け付けた場合、ユーザ情報記憶部に格納されたその利用者の当該競走馬株式の保有数が、１人の利用者が保有することのできる最大数を超えていない場合にのみ買い注文を受け付け、当該競走馬株式が一人の利用者による独占状態にならないようにする。
【０００９】
また、売買処理部は、一区切りの注文受付期間に出された各々の競走馬株式への売買注文をそれらの注文価格に従って点数化し、売り注文と買い注文の点数が等しければ、今日の株価を昨日の株価と同じ値に決定し、売り注文の点数の方が大きい場合には、今日の株価をその点数差に従って下げ、買い注文の方が大きい場合には、今日の株価をその点数差に従って上げ、多くの売買注文が成立しやすい株価を決定する。
また、売買処理部は、各々の競走馬株式への売買注文のうち、注文価格が決定した今日の株価以上の買い注文と、注文価格が今日の株価以下の売り注文を、買い注文については注文価格が高くて注文受付時間が早いものほど優先的に、売り注文については注文価格が安くて注文受付時間が早いものほど優先的に約定させ、公平に売買処理が行われるようにする。
【００１０】
また、株価安定化処理部は、売買処理によって決定された今日の株価に基づいて、各々の競走馬株式に対して出す売買注文の数と注文価格を決定し、次回の注文受付期間中にそれらの注文を出して株価安定のための介入を行う。
また、株価安定化処理部は、全ての競走馬株式に対して、売買処理によって決定された今日の株価と同じ価格で売買それぞれ同数の注文を出して株価安定と売買不成立防止のための介入を行う。
また、株価安定化処理部は、現実世界のレースの成績に基づいて現在の価格が割安と判定した競走馬株式に対して、買い注文を出して、株価安定のための介入を行う。
また、株価安定化処理部は、現実世界のレースの成績に基づいて成績不調と判断した競走馬の競走馬株式に対して、売り注文と買い注文を出して、株価安定と売買不成立防止のための介入を行う。
また、株価安定化処理部は、現実世界において放牧に出された競走馬の競走馬株式に対して、売り注文と買い注文を出して、株価安定と売買不成立防止のための介入を行う。
また、株価安定化処理部は、競走馬証券化サーバで保有する株数が閾値以下となった競走馬株式に対して閾値を超えるように買い注文を出して、株数維持のための介入を行う。
【００１１】
また、この発明に係る競走馬証券化サーバは、株式発行処理部によって新規に発行された新規上場株に対する利用者からの購入申込みを受付け、申込みが発行数を超えた場合には、抽選により購入者を決定し、新規上場株の割り当てを行う新規株割当処理部を備え、新規上場株については利用者の所持する通貨ポイントに関わらず公平に割り当てられるようにする。
【００１２】
また、この発明に係る競走馬証券化サーバは、注文受付期間中の一定時間内に出された各々の競走馬株式への売買注文をそれらの価格に従って点数化し、売り注文と買い注文の点数が等しければ、現在の株価を昨日の株価と同じ値に決定し、売り注文の点数の方が大きい場合には、現在の株価をその点数差に従って下げ、買い注文の点数の方が大きい場合には、現在の株価をその点数差に従って上げ、決定した現在の株価を当該競走馬株式の株価の気配値として利用者に提供する気配値表示処理部を備え、利用者に売買注文を出す際の指針を与える。
【００１３】
また、この発明に係る競走馬証券化サーバは、１取引シーズンの間に各利用者が取得した架空通貨の額に基づいて納税額を決定し、シーズン毎にユーザ情報記憶部に格納された架空通貨の額から納税額を差し引く税金徴収処理部を備え、一人の利用者の所有する架空通貨の額が増えすぎないようにする。
【発明の効果】
【００１４】
この発明によれば、現実世界の競走馬を証券化し、現実世界のレースにおけるその競走馬の成績に基づいて利用者に配当を支給し、利用者が架空通貨を用いた競走馬株式の売買を行えるようにしたので、架空世界の株取引でありながら現実世界のレースの結果が取引に反映されるため、利用者に現実世界の競走馬やレース結果への興味をわかせることができる。
また、利用者は、競走馬の今後の活躍を予測して投資するため、１つのレースの結果のみではなく、競馬に継続的に関心を持つようになる。
【００１５】
また、この発明による競走馬証券化サーバは、株価を安定させるように、各々の競走馬株式への売買注文を出して介入を行い、売買処理においては、一区切りの注文受付期間中に出された全ての売買注文に基づいて各々の競走馬株式の株価を決定し、決定した株価に基づいて売買注文を約定させるようにしたので、株価操作や取引者が少ないことによる売買不成立を防ぐことができる。
【発明を実施するための最良の形態】
【００１６】
以下、この発明の実施の形態を説明する。
実施の形態１．
まず、この発明による競走馬証券化システムが提供するサービスの概要について説明する。
競走馬証券化システムは、利用者に対し、現実世界の競走馬を対象にして発行された、架空世界でのみ通用する株の売買、配当金の支払い処理を提供する。図１は、競走馬証券化の概念を説明する図である。図に示すように、利用者は、架空世界でのみ利用できる架空通貨を用いて、現実世界の競走馬を対象とした架空株を購入することができる。現実世界で競走馬がレースに出走し、賞金を獲得すると、その賞金の額に基づいて架空株に対する配当額が決定され、架空通貨によって配当が支払われる。
【００１７】
次に、実施の形態１による競走馬証券化システムの構成について説明する。
図２は、この発明の実施の形態１による、競走馬証券化システムの構成を説明するブロック図である。図に示すように、競走馬証券化システムは、インターネット５０に接続された競走馬証券化サーバ１０と、競走馬データ供給サーバ３０、クライアント端末２０を備えている。
競走馬証券化サーバ１０は、架空株の売買、配当の支払い等のサービスを、Ｗｅｂページ上で提供するサーバコンピュータである。競走馬データ供給サーバ３０は、競走馬証券化サーバ１０に対して、現実世界の競走馬やレース結果についての情報を供給するサーバコンピュータである。なお、競走馬証券化サーバ１０と競走馬データ供給サーバ３０は専用の通信回線で接続されていてもよい。クライアント端末２０は、競走馬証券化サーバ１０によって提供されるＷｅｂ上のサービスを利用する利用者の端末である。
【００１８】
図３は、競走馬証券化サーバ１０の構成を示すブロック図である。図に示すように、競走馬証券化サーバ１０は、競走馬データ更新処理部１０１、売買処理部１０２、株価安定化処理部１０３、通貨発行処理部１０４、株式発行処理部１０５、新規株割当処理部１０６、税金徴収処理部１０７、小遣い支給処理部１０８、配当処理部１０９、気配値表示処理部１１０、注文受付処理部１１１、ユーザ登録処理部１１２、サービス提供部１１３、競走馬情報記憶部１１４、株式情報記憶部１１５、ユーザ情報記憶部１１６を備えている。
競走馬データ更新処理部１０１、売買処理部１０２、株価安定化処理部１０３、通貨発行処理部１０４、株式発行処理部１０５、新規株割当処理部１０６、税金徴収処理部１０７、小遣い支給処理部１０８、配当処理部１０９、気配値表示処理部１１０、注文受付処理部１１１、ユーザ登録処理部１１２、およびサービス提供部１１３は、競走馬証券化サーバ１０のプロセッサを動作させるプログラムのモジュールを表しており、これらは実際には、一体として競走馬証券化サーバ１０のプロセッサを構成する。
また、競走馬情報記憶部１１４、株式情報記憶部１１５、およびユーザ情報記憶部１１６は、リレーショナル型データベース等によって管理されるデータレコードの集合であり、競走馬証券化サーバ１０内部、あるいは競走馬証券化サーバ１０と接続された外部の記憶装置等に格納される。競走馬情報記憶部１１４、株式情報記憶部１１５、およびユーザ情報記憶部１１６は、同一の記憶装置に格納されていてもよい。
競走馬情報記憶部１１４は、現実世界の競走馬に関する情報を格納しており、競走馬ＩＤ、競走馬の馬名、血統情報、厩舎等、競走馬に関する基本的な情報の他、現実世界のレースにおける当該競走馬の成績情報を有する。
株式情報記憶部１１５は、現実世界の競走馬に対して発行された架空世界での競走馬株式に関する情報を有しており、株式ＩＤ、対象となる競走馬のＩＤ等、株式に関する基本的な情報の他、サーバが保有する株数の情報、当該株を所有する利用者のユーザＩＤおよびその所有数を含む株式所有ユーザ情報、当該株式に現在出されている注文の種類、価格、注文を出している利用者のユーザＩＤを含む注文情報、当該株式の日ごとの価格、出来高数、購入者のユーザＩＤ、売却者のユーザＩＤを含む売買履歴情報、当該株式に対して配当が出た日付、配当額、受け取ったユーザのユーザＩＤを含む配当情報を有する。
ユーザ情報記憶部１１６は、競走馬証券化システムに登録している利用者に関する情報を有しており、ユーザＩＤ、ユーザ名等、利用者に関する基本的な情報の他、利用者が所持する通貨ポイント、現在および過去の成績、今まで所有していた優良な株式の情報等を有する。
【００１９】
次に、競走馬証券化システムの動作について説明する。
図４は、実施の形態１による、競走馬証券化システムの処理の全体像を説明する図である。競走馬証券化システムの処理は、毎日行う処理（図中ａ）、週単位で行う処理（図中ｂ）、年単位で行う処理（図中ｃ）に分けることができる。
図中「ａ．１日の処理の流れ」に示すように、競走馬証券化サーバ１０は、１日の間の注文受付時間中に、クライアント端末２０からの要求に応じて注文受付処理を行う。また、注文受付時間中、株価安定化のための介入処理と気配値提供処理を行う。また、注文受付時間終了後のサーバメンテナンス時間中に、売買処理、株価安定化処理を行う。
また、週単位で行う処理としては、「ｂ．１週間の処理の流れ」に示すように、小遣い支給処理、新規馬名情報入力処理、新規株割当処理、成績入力処理、配当処理がある。なお、図中に示す各処理を行う曜日は例であり、他のスケジュールであってもかまわない。
また、「ｃ．１年間の処理の流れ」に示すように、年単位で行う処理には、税金徴収処理がある。なお、競走馬証券仮想取引は１年を１シーズンとし、毎年１月初めにシーズンが開始し、１２月で終了する。
【００２０】
以下、競走馬証券化サーバ１０の各処理について説明する。
まず、利用者が競走馬証券化サーバ１０に接続し、ログインしてからログアウトするまでのオンライン処理の流れについて説明する。
図５は、実施の形態１による、利用者が競走馬証券化サーバ１０にログインした際の処理の流れを示すフローチャートである。利用者は、クライアント端末２０上のＷｅｂブラウザを利用して、インターネット５０を介して競走馬証券化サーバ１０に接続する（ステップＳＴ１０１）。競走馬証券化サーバ１０のサービス提供部１１３は、クライアント端末２０にＷｅｂブラウザで閲覧可能なログイン画面を提供する。利用者は、既にユーザ登録済みである場合には、ユーザＩＤ、パスワード等を用いてログインを行う（ステップＳＴ１０２、ステップＳＴ１０３）。
また、ユーザ登録を行っていない場合には、クライアント端末２０に新規ユーザ登録画面が提供され、ユーザはその画面のインタフェースを介して氏名等のユーザ情報を入力し、ユーザ登録を行う（ステップＳＴ１０２、ステップＳＴ１０４）。
【００２１】
ステップＳＴ１０４で利用者がユーザ登録を行うと、入力されたユーザ情報がサービス提供部１１３を介してユーザ登録処理部１１２に供給され、ユーザ登録処理部１１２は、新規ユーザのユーザＩＤ、パスワード、氏名等のユーザ情報をユーザ情報記憶部１１６に登録する。次に、通貨発行処理部１０４は支度金授与処理を行う（ステップＳＴ１０７）。これは、新規登録ユーザに対して、競走馬証券化システム上でのみ利用可能な架空通貨をポイントの形で発行する処理である。具体的には、通貨発行処理部１０４は、ユーザ情報記憶部１１６に格納された当該利用者の所持通貨ポイントを予め定められた支度金のポイント分増加させる。支度金が授与されたことは、サービス提供部１１３を介してクライアント端末２０に通知される。利用者はこの通貨（ポイント）を用いて競走馬証券化システム上での株の購入を行うことができる。
【００２２】
ステップＳＴ１０３で利用者がログインを行うと、サービス提供部１１３は、現在、注文受付時間中か、またはサーバメンテナンス時間中かを判断し（ステップＳＴ１０５）、サーバメンテナンス時間中であれば、クライアント端末２０に対し、ログイン不可のメッセージを通知する（ステップＳＴ１０６）。
注文受付時間中である場合には、サービス提供部１１３は当該利用者のログインを許可し、その旨をクライアント端末２０に通知する。
【００２３】
ログインが成功した場合、サービス提供部１１３は、ユーザ情報記憶部１１６を参照し、当該利用者のその週の初回のログインである場合には、小遣い支給処理部１０８に小遣い支給処理を行わせる（ステップＳＴ１０９）。
ここで、小遣い支給処理について説明する。
小遣い支給処理は、毎週１回、利用者に小遣いとして一定ポイントの架空通過を授与する処理である。この小遣いは、毎週月曜日のオンライン処理開始から日曜日のオンライン処理終了までの間の最初のログイン時にのみ、利用者に授与される。１週間の間一度もログインしなければ、その週の分の小遣いは受け取ることができない。
サービス提供部１１３は、ユーザ情報記憶部１１６中の当該利用者が今週既にログインしているか否かを示すフラグを参照し、今週最初のログインである場合（フラグがたっていない場合）にはフラグをたてるとともに、小遣い支給処理部１０８に小遣い支給処理を行わせる。フラグが既にたっている場合には、小遣い支給を行わない。
小遣い支給処理部１０８は、ユーザ情報記憶部１１６中の該当する利用者の所持通貨ポイントを所定のポイントだけ増加させる。また、サービス提供部１１３は、小遣い支給が行われた旨をクライアント端末２０に通知する。なお、このフラグは、日曜日のサーバメンテナンス時間にすべておろされる。
【００２４】
次に、サービス提供部１１３は、株式情報記憶部１１５を参照し、当該利用者に対して未通知の配当が発生している場合には、配当が支給された旨をクライアント端末２０に通知する（ステップＳＴ１１０、ステップＳＴ１１１）。実際の配当処理は後述する配当処理によって、毎週日曜日のサーバメンテナンス時間中に行われる。
【００２５】
次に、サービス提供部１１３は、株式情報記憶部１１５を参照し、当該利用者が前日以前に株の売買注文を行っており、その注文の結果についてまだ通知がされていない場合には、その売買の結果をクライアント端末２０に通知する（ステップＳＴ１１２、ステップＳＴ１１３）。
【００２６】
次に、サービス提供部１１３は、クライアント端末２０に、メニュー画面を表示させ、ユーザがログアウトを選択した場合には、サービス提供部１１３はログアウトを行い処理を終了する（ステップＳＴ１１４、ステップＳＴ１１５）。ユーザが売買注文を行うことを選択した場合には、サービス提供部１１３は、注文受付処理部１１１に注文受付処理を行わせる（ステップＳＴ１１４、ステップＳＴ１１６、ステップＳＴ１１７）。
【００２７】
ここで、注文受付処理について説明する。注文受付処理部１１１は、サービス提供部１１３から注文受付の命令を受けると、サービス提供部１１３を介してクライアント端末２０に注文受付画面を表示させる。図６は、実施の形態１による注文受付画面の例を示す図である。利用者は、注文受付画面を介して、まず売買を行いたい株の銘柄を指定する。指定の方法は、銘柄名を直接入力するようにしてもよいし、チェックリスト等から選択できるような方式にしてもよい。銘柄が選択されると、サービス提供部１１３は株式情報記憶部１１５を参照し、当該銘柄株の昨日の株価を取得して、注文受付画面上に表示させる。次に、利用者は、売買注文の価格設定を行う。価格設定は、図６に示すように、買い注文、売り注文それぞれ５種類の選択肢の中から指定することにより行う。各々の選択肢は、一定範囲の割合（％）で示され、注文価格は、昨日の株価に対するその割合の分を増減した額となる。例えば、昨日の株価が１０００通貨ポイントの銘柄に対して「高値買い」を選択した場合、１０５０〜１１４０通貨ポイントの間であれば買うという設定の買い注文となる。超高値買いは成行買い、超安値売りは成り行き売りと同じイメージとなる。なお、図に示す選択肢の数と指定範囲は一例である。
【００２８】
注文受付処理部１１１は、利用者が価格設定を行うと、ユーザ所有株数の確認を行う。すなわち、利用者が買い注文を設定した場合には、株式情報記憶部１１５を参照し、現時点で当該利用者が保有する当該株の数が所定の最大値に達していないか否かを確認する。もし、最大値に達していた場合には、買い注文ができないことをクライアント端末２０に通知する。なお、この場合、利用者が買い注文と同時に売り注文を出していたとしても、この時点で売却は確定していないので、買い注文をすることはできない。
所有株数の制限を行うことにより、特定の利用者による株の寡占状態を防ぎ、後から参加した利用者も取引に参加しやすくなる。この最大所有数は、利用者の参加状況（資産、納税額、参加日数等）で段階的に増やしていってもよいが、最終的な最大数は決まっているものとする。
【００２９】
次に、注文受付処理部１１１は、利用者が所持する通貨ポイントの確認を行う。すなわち、利用者が買い注文を設定した場合には、ユーザ情報記憶部１１６を参照し、現時点で当該利用者が、設定された価格で取引が約定したときに支払いが可能なだけの通貨ポイントを所有しているかどうかを確認する。例えば、昨日の株価が１０００通貨ポイントの銘柄に対して「高値買い」を選択した場合、最低でも１０５０通貨ポイントを所有していないと注文が行えない。なお、この場合高値買いの最高値である１１４０通貨ポイントを持っている必要はないが、後述する売買処理の結果決定した当銘柄の株価が所有金額以上になった場合には、当該買い注文は約定されないことになる。また、当該利用者が既に他の買い注文を行っている場合には、注文済みの買い注文の最低購入価格分を所有通貨ポイントから差し引いてチェックを行う。具体例を用いて説明すると、現在の所有通貨ポイントが３０００で、注文済みの買い注文として、昨日の株価２０００の銘柄について「通常買い」を設定していた場合、最低購入価格は−４（％）すなわち１９２０通貨ポイントになるので、買い注文可能な残りの通貨ポイントは、３０００−１９２０＝１０８０通貨ポイントとなる。
【００３０】
注文受付処理部１１１は、注文が受付可能な場合には、注文内容を株式情報記憶部１１５に登録し、クライアント端末２０に注文受付が完了した旨を通知する。
注文受付処理が終了すると、ステップＳＴ１１４に戻り、サービス提供部１１３はクライアント端末２０にメニュー画面を表示させ、利用者がログアウトを選択した場合には、サービス提供部１１３はログアウトを行い処理を終了する。
【００３１】
次に、売買処理について説明する。
上述したように、売買処理は、毎日の注文受付時間終了後のサーバメンテナンス時間中に行われる。１日に受けた注文を一括して処理することにより、取引数が少ない場合でもできるだけ多くの注文を成立させることができる。
図７は、実施の形態１による、一括売買処理のフローチャートである。まず、売買処理部１０２は、株式情報記憶部１１５を参照し、その日に受け付けた利用者からの売買注文とシステムが行った売買注文（後述する株価安定化処理による注文）をポイント化する（ステップＳＴ７０１）。
売買注文のポイント化方法について説明する。まず、買い注文の場合、超高値買いについては、１注文当たり例えば５ポイントとする。同様に、高値買いについては１注文あたり４ポイントとし、通常買いについては３ポイント、安値買い、超安値買いはそれぞれ２ポイント、１ポイントとして各銘柄毎にポイント数を合計する。
また、売り注文の場合も同様に、超安値売り、安値売り、通常売り、高値売り、超高値売りをそれぞれ５ポイント、４ポイント、３ポイント、２ポイント、１ポイントとして、銘柄毎のポイント数を算出する。
【００３２】
次に、売買処理部１０２は、ステップＳＴ７０１で算出したポイント数に基づいて、各銘柄の株価を決定する（ステップＳＴ７０２）。具体的には、例えば、ステップＳＴ７０１で算出した買い注文のポイントと売り注文のポイントが等しい場合には、今日の株価を昨日の株価と同じとする。また、買い注文のポイントが売り注文のポイントよりも大きい場合には、買い指数値＝買い注文のポイント／売り注文のポイントを定義し、今日の株価＝昨日の株価＊（１＋買い指数値／１０）とする。なお、ここでは買い指数値の最大値を２．５と設定する。
また、買い注文のポイントが売り注文のポイントよりも小さい場合には、売り指数値＝売り注文のポイント／買い注文のポイントを定義し、今日の株価＝昨日の株価＊（１−売り指数値／１０）とする。なお、ここでは売り指数値の最大値を２．５と設定する。
【００３３】
次に、売買処理部１０２は、ステップＳＴ７０２で決定した各銘柄の株価に基づいて、約定決定処理を行う（ステップＳＴ７０３）。
売買処理部１０２は、その日に受け付けた売買注文の中から、決定した今日の株価以上の買い注文と今日の株価以下の売り注文を優先順位に従って約定させる。優先順位は、買い注文の場合には、注文価格が高いものほど優先され、売り注文の場合には、注文価格が安いものほど優先される。また、同じ価格帯の注文では、注文受付時間が早いものほど優先される。
具体例を用いて説明する。昨日の株価が１０００通貨ポイントで、今日の株価が９５０通貨ポイントに決定された銘柄の場合、今日の株価は昨日の株価の５％安となっているので、５％安い上の買い注文（すなわち、通常買い、高値買い、超高値買い）、および５％安未満の売り注文（すなわち、安値売り、超安値売り）が約定の対象となる。ここで、今日１日の約定可能な取引として、Ａ氏：超高値買い、Ｂ氏：高値買い、Ｃ氏：通常買い、Ｄ氏：通常買い、Ｅ氏：安値売り、Ｆ氏：超安値売り、Ｇ氏：超安値売りがあったとする。まず、約定可能な売り注文が３件しかないので、買い注文も３件のみ約定する。よってこの日の出来高は３株となる。買い注文については、高く注文を出しているＡ氏とＢ氏の注文が順に約定となる。残りの１株については、Ｃ氏、Ｄ氏のうち注文受付が早かった方の注文が約定となる。売り注文については、３件とも約定となるが、安く注文を出しているＦ氏、Ｇ氏のうち、注文受付が早かった方の注文が１番目に約定となり、Ｅ氏の注文が３番目に約定する。
【００３４】
売買処理部１０２は、約定する注文が決定すると、ユーザ情報記憶部１１６を参照し、注文が約定した利用者の所有通貨ポイントを更新する（ステップＳＴ７０４）。また、株式情報記憶部１１５中の当該株を保有する利用者および保有数、システムの保有株数を更新する。
また、売買処理部１０２は、株式情報記憶部１１５に格納された、取引が行われたすべての銘柄の今日の出来高と今日の株価を更新する（ステップＳＴ７０５）。以上で売買処理が終了する。
【００３５】
次に、株価安定化処理について説明する。
株価安定化処理は、株価を安定させるためにシステムから売買注文を出す処理である。株価安定化処理部１０３は、毎日のサーバメンテナンス時間中に、その日の売買処理で決定された株価に基づいて注文内容を決定し、翌日の注文受付時間中に決定した注文を不定期に出す。
競走馬証券化システムのサービス開始当初は、売買に参加する利用者数は少ないと考えられる。また、現実世界でのレースが行われた時だけ多くの取引が発生し、毎日平均して売買が行われるとは限らないと予想される。さらに、システム上では架空通貨を使用して取引を行うため、株価操作が行われる可能性が高い。そこで、売買不成立や株価操作といった問題が発生した際、株価を安定させるためにシステムが介入して売買を行う。システムから出された注文は、利用者からの注文と同様に売買処理が行われる。
【００３６】
株価安定化処理には、通常介入、イベント的介入、株数維持介入の３通りがある。
まず、通常介入について説明する。
通常介入は、株価安定化処理部１０３がすべての競走馬の銘柄に対して毎日一定数の注文を出す処理である。株価安定化処理部１０３は、株式情報記憶部１１５を参照し、昨日の株価付近の注文を所定数出すことにより、急激な株価の変動を起きにくくする。
具体的には、例えば、株価安定化処理部１０３は、すべての銘柄について昨日の株価で売買それぞれ同数の注文を出す。注文数は、例えば株式発行数の３％にあたる数とする。
また、株価安定化処理部１０３は、すべての銘柄について昨日の株価の５％高の価格で、売買それぞれ同数の注文を出すようにしてもよい。注文数は、例えば株式発行数の１％にあたる数とする。
また、株価安定化処理部１０３は、すべての銘柄について昨日の株価の５％安の価格で、売買それぞれ同数の注文を出すようにしてもよい。注文数は、例えば株式発行数の１％にあたる数とする。
なお、注文数や注文価格はこれらの数値に限られない。
【００３７】
次に、イベント的介入について説明する。なお、注文数や注文価格は以下に例示する数値に限られない。
イベント的介入は、株価安定化処理部１０３が所定の条件に合う競走馬の銘柄に対して注文を出す処理である。これは、システムが予測する利用者の売買傾向に基づいて介入を行うものである。実施の形態１では、以下の３通りの介入を行う。
１．割安馬への買い介入
株価安定化処理部１０３は、競走馬情報記憶部１１４を参照し、前週に現実世界で行われたレースで賞金を獲得した競走馬の銘柄を対象に、競走馬の年齢と今までの通算獲得賞金から将来の活躍を予測し、現在の株価が割安かどうかを判断し、割安と判断された場合には、当該競走馬の株に対して買い注文を行う。
２．不調馬への売り介入
株価安定化処理部１０３は、競走馬情報記憶部１１４を参照し、例えば、過去に行われた３レースで連続着外（６着以下）だった競走馬の株に対して売り注文と買い注文を出す。買い注文を出すことにより、利用者が当該競走馬の株をまったく売れない状況を防ぐことができる。
注文の例としては、例えば、売り注文は、昨日の株価の５％安の価格で、注文数は株式発行数の１％とし、買い注文は、昨日の株価の５％安の価格で、注文数は、売り注文の半分に当たる株式発行数の０．５％としてもよい。
３．放牧馬への売り介入
株価安定化処理部１０３は、競走馬情報記憶部１１４を参照し、例えば、１週間以内に放牧に出た競走馬の株に対して売り注文と買い注文を出す。不調馬への売り介入と同様に、買い注文を出すことにより、利用者が当該競走馬の株をまったく売れない状況を防ぐことができる。
注文の例としては、例えば、売り注文は、昨日の株価の１０％安の価格で、注文数は株式発行数の２％とし、買い注文は、昨日の株価の１０％安の価格で、注文数は、売り注文の半分に当たる株式発行数の１％としてもよい。
【００３８】
次に、株数維持介入について説明する。
株数維持介入は、競走馬証券化サーバ１０が保有する株数を一定数以上に保つための介入手段である。
人気のある競走馬の株に利用者からの買い注文が集中することにより、競走馬証券化サーバ１０の当該株の保有数が下限値を下回った場合、株価安定化処理部１０３は保有数を回復するために株の買い戻しを行う。サーバが一定数以上の株数を保有することにより、人気のある競走馬の株の売り注文が減って、売買が成立しなくなるような状況を避けることができる。また、このような介入をすることにより、人気のある競走馬の株価をより上がりやすくすることができる。
具体的な例としては、株価安定化処理部１０３は、株式情報記憶部１１５を参照し、ある競走馬の株の保有率が発行株数の２０％を下回った場合、２０％の保有率を回復するのに必要な株数の買い注文を出す。なお、注文数や注文価格はこれらの数値に限られない。
【００３９】
次に、気配値提供処理について説明する。
上述したように、実施の形態１では、売買処理は１日の注文受付終了後に一括して行うため、利用者にとっては株価の予想がつきにくく、売買が成立しにくくなる可能性がある。そこで、利用者が注文価格を決定する際の指針とするため、注文受付時間中に数回、その日の株価の気配値情報を提供する。
【００４０】
気配値表示処理部１１０は、図７に示した売買処理におけるステップＳＴ７０１、ステップＳＴ７０２と同様の方法で、現時点までに受け付けている利用者及びシステムからの売買注文に基づいて各銘柄の株価を決定する。決定した気配値は、株式情報記憶部１１５に記録される。
気配値表示処理部１１０は、利用者がシステムにログインした際に、現時点までの各銘柄の気配値と注文数を表示させる。図８にクライアント端末２０への気配値情報の表示例を示す。
【００４１】
次に、成績入力処理と配当処理について説明する。
成績入力処理及び配当処理は、日曜日のサーバメンテナンス時間中に行われる。まず、成績入力処理によって、その週の月曜日から日曜日に現実世界で行われたレースにおける競走馬の成績が更新され、更新された成績に基づいて配当が決定される。
成績入力処理について説明する。これは、競走馬証券化サーバ１０が、インターネット５０を介して接続された競走馬データ供給サーバ３０から、現実世界のレースの結果情報を取得する処理である。
競走馬データ供給サーバ３０は、例えばＪＲＡ−ＶＡＮのようにＪＲＡ（日本中央競馬会）の公式データを取り扱う機関のサーバである。競走馬証券化サーバ１０は、競走馬データ供給サーバ３０からＪＲＡの主催レースや、地方・中央ダート交流重賞レース等の成績及び賞金の情報を受信する。
競走馬データ更新処理部１０１は、受信したデータの情報に基づいて競走馬情報記憶部１１４に格納されている各競走馬についてのレース成績、獲得賞金の情報を更新する。
【００４２】
次に、配当処理について説明する。これは、現実世界のレース結果を反映して架空世界で競走馬株に対する配当を発生させ、利用者に通貨ポイントを支給する処理である。
上述の成績入力処理の後、配当処理部１０９は競走馬情報記憶部１１４を参照し、以下の条件に該当する競走馬に対して配当を発生させる。すなわち、これらの競走馬の株を所有している利用者に対して配当としての通貨ポイントを支給する。
実施の形態１では、配当は以下に示す１．及び２．の場合に発生する。それぞれの場合で、１株あたりに支給される通貨ポイントは、例えば以下のように決定することができる。
１．競走馬がＪＲＡの主催レース、または地方・中央ダート交流重賞レースで５着以内に入賞した場合。
競走馬が実際に獲得した賞金の１万分の１通貨ポイント支給する。すなわち、賞金１００万円の場合は１株あたり１００通貨ポイントが支給される。
２．競走馬がＪＲＡ賞を獲得した場合。
年度代表馬を獲得した場合にはＹ通貨ポイント、それ以外のＪＲＡ賞の場合にはＹ／２通貨ポイント支給される。Ｙは例えば１００００とする。
配当処理部１０９は、配当支給の対象となった利用者について、ユーザ情報記憶部１１６に格納されている所持通貨ポイントを支給額分増加させる。また、株式情報記憶部１１５に格納されている配当情報を更新する。配当が支給された利用者に対しては、翌週以降の最初のログイン時にその旨が通知される（図５のステップＳＴ１１０、ステップＳＴ１１１）。
【００４３】
次に、新規馬名情報入力処理について説明する。
新規馬名情報入力処理は、毎週月曜日のサーバメンテナンス時間中に行われる。これは、ＪＲＡに新規に馬名登録された競走馬を競走馬証券化システムで新規上場株として登録するための処理である。
競走馬証券化サーバ１０は、インターネット５０を介して、競走馬データ供給サーバ３０から、ＪＲＡに新規に馬名登録された競走馬の情報を取得する。競走馬データ供給サーバ３０は、例えばＪＲＡ−ＶＡＮのようなＪＲＡの公式データを取り扱う機関のサーバである。
競走馬データ更新処理部１０１は、受信したデータの情報に基づいて、競走馬情報記憶部１１４に新規競走馬を登録する。また、株式発行処理部１０５は、株式情報記憶部１１５に新規競走馬の株を新規上場株として登録する。
なお、新規上場株として登録される競走馬には、以下のものがある。
１．ＪＲＡによって新馬登録が行われた競走馬
２．ＮＡＲ（地方競馬全国協会）からＪＲＡへ移籍した競走馬
３．ＪＲＨＲ（日本軽種馬登録協会）に登録された種牡馬
ただし、上記の３．の場合には種牡馬株が発行される。種牡馬株は、通常の競走馬株と同じように取引され、１人当たりの所有株数の制限もあるが、レース結果による配当は発生しない。
【００４４】
また、競走馬証券化システムに登録された競走馬がＪＲＡで登録抹消されたことがＪＲＡ−ＶＡＮなどのデータによって通知されると、当該競走馬株は上場廃止の扱いとなる。上場廃止となった競走馬株は、競走馬証券化サーバ１０がすべての株を最安値で買い取ることにより回収される。
ただし牡馬に関しては、上場廃止から一定期間、最後に当該株を所有していた利用者の情報を株式情報記憶部１１５に残しておく。これは、後述するように、種牡馬株の上場の際に、優先的に購入できる利用者を決定するためである。
【００４５】
次に、新規株割当処理について説明する。
新規馬名情報入力処理によりシステムに登録された新規上場株については、新規株割当処理部１０６が利用者からの購入申込みを受け付けて売却する。
購入申込みは、新規上場株の登録をした翌日の火曜日の注文受付開始と同時に開始し、その週の木曜日の注文受付終了と同時に締め切る。実施の形態１では、新規上場株は、１銘柄について利用者１人あたり１株のみ申し込むことができる。また、新規上場株として売り出されるのは、各々の銘柄について発行数の一定割合までである（ここでは８０％とする。）。
新規株割当処理部１０６は、利用者から受け付けた新規上場株の購入申込み数が発行株式数の８０％を超えていない場合には、すべての申込者に所定の通貨ポイントで売却を行う。残りの株はすべて競走馬証券化サーバ１０が保持する。
新規株割当処理部１０６は、申込み数が発行株式数の８０％を超えていた場合は、抽選を行い当選者を決定する。
抽選の際には、新馬株の特例処理が適用される。新馬株の特例処理とは、新馬株の申込者数が発行数の８０％を超えた場合、該当新規登録競走馬の父馬の種牡馬株を所持している申込者には、優先して購入させる処理である。種牡馬株を持っていない申込者については、優先購入者に割り当てた後の残りの株数を抽選により割り当てる。また、仮に該当銘柄の父馬の種牡馬株を持っている申込者の数だけで、発行数の８０％を越えてしまった場合には、その種牡馬株を持っている申込者だけで抽選を行う。
新規上場株は、新規株割当処理後、通常の株式と同様に注文受付処理の対象となる。
【００４６】
また、種牡馬株についても、新規馬名情報入力処理によりシステムに登録されたら競走馬株と同様に新規株割当処理を行う。売り出し価格はシステムが所定の基準によって決定する。競走馬株の場合と同様に申込者数が多数の場合は抽選となるが、当該種牡馬が元々ＪＲＡ所属の競走馬だった場合には、登録抹消時にこの競走馬の株を所有していた利用者に優先的に割り当てる。
【００４７】
次に、税金徴収処理について説明する。
これは、利用者の所有する通貨ポイントが際限なく増えてしまうことを防ぐための手段であり、多くの資産を持つ利用者ほど多くの税金を支払うことになる。
税金徴収処理は、年に一度、シーズン終了時に行われる。税金徴収処理部１０７は各々の利用者の納税額を算出し、ユーザ情報記憶部１１６に格納された各利用者の所持通貨ポイントから算出した納税額分を減少させる。納税額は、シーズン中の最終ポイント対象レース終了後に所有している通貨ポイントと翌年に発表されるＪＲＡ賞の通貨ポイントの合計により決定される。
納税額算出方法の例としては、まず、その年１年間に獲得した通貨ポイントと翌年のＪＲＡ賞により獲得した通貨ポイントの１０％を納税額とする。
また、年末の時点で所持している通貨ポイント（株を購入していない通貨ポイント）に対し、１％〜５０％の累進課税を行う。なお、税率は一例である。
【００４８】
また、実施の形態１では、複数の利用者がチームを組んで団体戦に参加することもできる。
１つのチームに参加できる最大人数は予め決められており、参加者一人でも団体は成立する。団体の所持する通貨ポイントは団体に参加している個人の獲得した通貨ポイントの合計であり、各団体は、団体同士で獲得通貨ポイントを競い合う。よって参加者が多い団体ほど有利である。
団体戦には、団体だけに適用される大株主制度というルールが採用される。上述したように、１銘柄について個人で所有することのできる最大株数は決められているが、団体はそれを超えた数の株を持つことができる。ある団体が保有する同一銘柄の株数が一定数を超えた場合、当該団体はその銘柄の大株主となり、その銘柄についての配当発生時には、通常の利用者よりも多くの通貨ポイントを獲得することができる。例えば、大株主が配当発生時に獲得できる通貨ポイント＝通常の配当の通貨ポイント＊（１＋Ｙ／１００）とすることができる。なお、ここでは、Ｙ＝団体が所有する該当銘柄の株数−Ｘ、Ｘ＝１０とする。この場合、例えば該当銘柄の株を合計で１１株持つ団体として受け取る配当ポイントは通常の１．０１倍ということになる
【００４９】
以上のように、この実施の形態１によれば、現実世界の競走馬の情報と、現実世界のレースにおけるその競走馬の成績情報を格納する競走馬情報記憶部１１４と、競走馬を証券化し、架空世界で取引される競走馬株式を発行する株式発行処理部１０５と、競走馬株式についての所有者情報、売買注文の内容、株価、売買履歴、発生した配当額と受け取った利用者の情報を格納する株式情報記憶部１１５と、競走馬株式の売買と配当の支給に用いられる架空通貨を発行する通貨発行処理部１０４と、クライアント端末２０から、各々の競走馬株式への売買注文を受信し、受信した売買注文の情報を株式情報記憶部１１５へ格納する注文受付処理部１１１と、利用者が所持する架空通貨ポイントと、取引成績情報を格納するユーザ情報記憶部１１６と、株価を安定させるため、各々の競走馬株式への売買注文を出す株価安定化処理部１０３と、１日の注文受付時間中に出された全ての売買注文に基づいて各々の競走馬株式の株価を決定し、その株価に基づいて約定させる売買注文を決定し、株式情報記憶部１１５に格納された当該競走馬株式の所有者情報、株価、売買履歴と、ユーザ情報記憶部１１６に格納された、利用者が所持する架空通貨ポイントを更新する売買処理部１０２と、競走馬が出走した現実世界のレースの成績に基づいてその競走馬株式に対する配当を決定し、ユーザ情報記憶部１１６に格納された配当を受ける利用者が所持する架空通貨ポイントを更新する配当処理部１０９と、クライアント端末２０に、当該利用者が出した売買注文が約定したかどうかの情報および当該利用者が受けた配当の情報を通知するサービス提供部１１３を備えたので、架空世界の株取引でありながら現実世界のレースの結果が取引に反映されるため、参加者に現実世界の競走馬やレースへの興味をわかせることができる。また、利用者は、競走馬の今後の活躍を予測して架空世界で投資するため、１つのレースの結果のみではなく、競馬に継続的に関心を持つようになる。
また、株価操作や参加者が少ないことによる売買不成立を防ぐことができる。
【００５０】
また、注文受付処理部１１１は、昨日の株価に対する一定範囲の割合の指定により注文価格を受け付けるようにしたので、注文価格に幅を持たせることができ、売買注文が成立しやすくなる。
また、注文受付処理部１１１は、クライアント端末２０から買い注文を受け付けた場合、ユーザ情報記憶部１１６に格納されたその利用者の当該競走馬株式の保有数が、１人の利用者が保有することのできる最大数を超えていない場合にのみ買い注文を受け付けるようにしたので、特定の利用者による株の寡占状態を防ぎ、後から参加した利用者も取引に参加しやすくなる。
【００５１】
また、売買処理部１０２は、１日の注文受付時間に出された各々の競走馬株式への売買注文をそれらの注文価格に従って点数化し、売り注文と買い注文の点数が等しければ、今日の株価を昨日の株価と同じ値に決定し、売り注文の点数の方が大きい場合には、今日の株価をその点数差に従って下げた値に決定し、買い注文の方が大きい場合には、今日の株価をその点数差に従って上げた値に決定するようにしたので、多くの売買注文が成立しやすい株価を決定することができる。
また、売買処理部１０２は、１日の注文受付時間中に出された各々の競走馬株式への売買注文のうち、決定した今日の株価以上の買い注文と今日の株価以下の売り注文を、買い注文については注文価格が高くて注文受付時間が早いものほど優先的に、売り注文については注文価格が安くて注文受付時間が早いものほど優先的に約定させるようにしたので、公平に売買処理が行われるようにすることができる。
【００５２】
また、株価安定化処理部１０３は、売買処理によって決定された今日の株価に基づいて、各々の競走馬株式に対して出す売買注文の数と注文価格を決定し、翌日の注文受付期間中にそれらの注文を出して株価安定のための介入を行うようにしたので、株価操作や売買不成立を防ぐことができる。
また、株価安定化処理部１０３は、全ての競走馬株式に対して、売買処理によって決定された今日の株価と同じ価格で売買それぞれ同数の注文を出して株価安定のための介入を行うようにしたので、株価操作や売買不成立を防ぐことができる。
また、株価安定化処理部１０３は、現実世界のレースの成績に基づいて現在の価格が割安と判定した競走馬株式に対して、買い注文を出して株価安定のための介入を行うようにしたので、株価操作や売買不成立を防ぐことができる。
また、株価安定化処理部１０３は、現実世界のレースの成績に基づいて成績不調と判断した競走馬の競走馬株式に対して、売り注文と買い注文を出して株価安定のための介入を行うようにしたので、株価操作や売買不成立を防ぐことができる。
また、株価安定化処理部１０３は、現実世界において放牧に出された競走馬の競走馬株式に対して、売り注文と買い注文を出して株価安定のための介入を行うようにしたので、株価操作や売買不成立を防ぐことができる。
また、株価安定化処理部１０３は、各々の競走馬株式について、競走馬証券化サーバ２０で保有する株数が閾値以下となった競走馬株式に対して、閾値を超えるように買い注文を出すようにしたので、サーバで保有する株数を維持し、売買不成立を防ぐことができる。
【００５３】
また、競走馬証券化サーバ１０は、株式発行処理部１０５によって新規に発行された新規上場株に対する利用者からの購入申込みを受付け、申込みが発行数を超えた場合には、抽選により購入者を決定し、新規上場株の割り当てを行う新規株割当処理部１０６を備えるようにしたので、新規上場株については利用者の所持する通貨ポイントに関わらず公平に割り当てられるようにすることができる。
【００５４】
また、競走馬証券化サーバ１０は、注文受付期間中の一定時間内に出された各々の競走馬株式への売買注文をそれらの価格に従って点数化し、売り注文と買い注文の点数が等しければ、現在の株価を昨日の株価と同じ値に決定し、売り注文の点数の方が大きい場合には、現在の株価をその点数差に従って下げ、買い注文の点数の方が大きい場合には、現在の株価をその点数差に従って上げ、決定した現在の株価を当該競走馬株式の株価の気配値として利用者に提供する気配値表示処理部１１０を備えるようにしたので、利用者が注文価格を決定する際の指針を与えることが可能となり、売買注文を成立しやすくすることができる。
【００５５】
また、競走馬証券化サーバ１０は、１シーズンの間に各利用者が取得した通貨ポイントに基づいて納税額を決定し、シーズン毎にユーザ情報記憶部１１６に格納された所持通貨ポイントから納税額を差し引く税金徴収処理部１０７を備えるようにしたので、一人の利用者の所有する架空通貨ポイントが増えすぎないようにすることが可能となり、市場の独占や株価操作を防ぐことができる。
【図面の簡単な説明】
【００５６】
【図１】この発明の実施の形態１による、競走馬証券化の概念を説明する図である。
【図２】この発明の実施の形態１による、競走馬証券化システムの構成を示すブロック図である。
【図３】この発明の実施の形態１による、競走馬証券化サーバの構成を示すブロック図である。
【図４】この発明の実施の形態１による、競走馬証券化システムの処理の全体を説明する図である。
【図５】この発明の実施の形態１による、利用者が競走馬証券化サーバにログインした際の処理の流れを示すフローチャートである。
【図６】この発明の実施の形態１による、競走馬証券化サーバが提供する注文受付画面の例を示す図である。
【図７】この発明の実施の形態１による、売買処理のフローチャートである。
【図８】この発明の実施の形態１による、気配値情報の表示例を示す図である。
【符号の説明】
【００５７】
１０  競走馬証券化サーバ
２０  クライアント端末
３０  競走馬データ供給サーバ
５０  インターネット
１０１  競走馬データ更新処理部
１０２  売買処理部
１０３  株価安定化処理部
１０４  通貨発行処理部
１０５  株式発行処理部
１０６  新規株割当処理部
１０７  税金徴収処理部
１０８  小遣い支給処理部
１０９  配当処理部
１１０  気配値表示処理部
１１１  注文受付処理部
１１２  ユーザ登録処理部
１１３  サービス提供部
１１４  競走馬情報記憶部
１１５  株式情報記憶部
１１６  ユーザ情報記憶部
【図１】
2005301588.tif 000003
【図２】
2005301588.tif 000004
【図３】
2005301588.tif 000005
【図４】
2005301588.tif 000006
【図５】
2005301588.tif 000007
【図６】
2005301588.tif 000008
【図７】
2005301588.tif 000009
【図８】
2005301588.tif 000010